【事件の表示】
　特願２０１２−　３８７３９「半導体パッケージ構造の製造方法」拒絶査定不服審判事件〔平成２４年　９月１３日出願公開，特開２０１２−１７８５６５，請求項の数（５）〕について，次のとおり審決する。
【結　論】
　原査定を取り消す。
　本願の発明は，特許すべきものとする。
【理　由】
第１　手続の経緯　
　本願は，平成２４年２月２４日（パリ条約による優先権主張２０１１年２月２５日，台湾）の出願であって，平成２５年８月２８日付けで拒絶理由が通知され，同年１２月２日付けで意見書と手続補正書が提出され，平成２６年７月３０日付けで拒絶査定（以下「原査定」という）がされ，これに対し，同年１２月４日に拒絶査定不服審判が請求されるとともに，手続補正書が提出され，平成２７年８月２５日付けで当審から審尋を行い，同年１１月３０日に回答書が提出され，その後，当審において平成２８年２月８日付けで拒絶理由（以下「当審拒絶理由」という）が通知され，同年５月６日付けで意見書と手続補正書が提出されたものである。
第２　本願発明
　本願の請求項１−５に係る発明は，平成２８年５月６日付けの手続補正で補正された特許請求の範囲の請求項１−５に記載された事項により特定されるものと認められるところ，本願の請求項１に係る発明（以下「本願発明」という。）は以下のとおりである。
「【請求項１】
　対向する能動面及び受動面を有し，前記能動面に複数の導電バンプが設けられたチップと，表面に非導電性フィルムであるアンダーフィルが設けられた基材と，を提供する工程と，
　前記チップの能動面を前記アンダーフィルに結合させることにより各前記導電バンプを前記アンダーフィルに埋設させ，各前記導電バンプを前記基材に接触させない工程と，
　前記基材を除去することにより前記アンダーフィルを露出させる工程と，
　前記チップを前記アンダーフィルによりパッケージ基板に結合させ，前記アンダーフィルを熱溶融することで，前記チップを各前記導電バンプにより前記パッケージ基板に電気的に接続させ，さらに，前記アンダーフィルを硬化させることで，各前記導電バンプを前記パッケージ基板の半田パッドに接触させることにより，各前記導電バンプを前記パッケージ基板の半田パッドに電気的に接触させる工程と，
　を備え，
前記基材と前記アンダーフィルとの間には離型層が設けられ，前記離型層を剥離することにより前記基材を除去することを特徴とする半導体パッケージ構造の製造方法。」　
第３　原査定の理由について
１　原査定の理由の概要
１．この出願の下記の請求項に係る発明は，その出願前に日本国内又は外国において，頒布された下記の刊行物に記載された発明又は電気通信回線を通じて公衆に利用可能となった発明であるから，特許法第２９条第１項第３号に該当し，特許を受けることができない。
２．この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　　　　　記　　　（引用文献等については引用文献等一覧参照）
・理由１，２
・請求項１−７
・引用文献１
・備考：
　引用文献１の，特に【００２０】−【００３４】，【００３７】−【００４２】，【図４】−【図６】を参照すると，回路上に導通用突起物を有する半導体ウエハの回路面に，離型処理された剥離性シート上に積層された接着性薄膜層を貼付けし，半導体ウエハの裏面研削を行い，半導体ウエハを切断分離して得られたチップを，チップ搭載用基板に載置する前に剥性性シートを剥離し，チップをチップ搭載用基板上に載置した後，接着性薄膜層を加熱して流動化させ，導通用突起物を介してチップとチップ搭載用基板との導通を確保した後，チップを固着し，樹脂封止して半導体装置を得ることが記載されている。
　よって，請求項１に係る発明は，引用文献１に記載された発明と同一，または，引用文献１に記載された発明に基づいて，当業者が容易に発明をすることができたものである。
　また，請求項２−７に係る発明も，請求項１に係る発明と同様の理由で拒絶すべきものである。
　　　　　　　　　　　引　用　文　献　等　一　覧
１.特開２００１−１４４１４０号公報
２　原査定の理由の判断
（１）引用文献の記載事項
　引用文献１には，【図４】−【図６】とともに以下の記載がある。
・「【００２０】絶縁性接着剤は，導電性粒子を含まない以外は，前記異方導電性接着剤と同様であり，また熱硬化性のものであっても，熱可塑性のものであっても，また粘接着剤からなるものであってもよい。すなわち，熱硬化性絶縁性接着剤層２２は，前述した熱硬化性のバインダー樹脂を主成分としてなり，導電性粒子を含まないものであり，また，熱可塑性絶縁性接着剤層２２は，前述した熱可塑性のバインダー樹脂を主成分としてなり，導電性粒子を含まないものである。
【００２１】また
粘接着性の絶縁性接着剤層２２は，前述した粘接着剤を主成分としてなり，導電性粒子を含まないものである
図１または図４に示すように，接着性薄膜層１２または２２の片面に，剥離性シート１１または２１が貼着されていてもよい
【００２２】接着性薄膜層は所定の工程を剥離性シートを積層した形で使用され，その後剥離性シートからウエハまたはチップに転写される。剥離性シートは，たとえば接着性薄膜層をウエハに貼付する際に，張力により変形しないように補強のために用いられる。また，研削工程や切断分離工程の際に接着性薄膜層の表面を保護することもできる。
【００２３】剥離性シートとしては，従来より粘着テープ等の基材として用いられている各種の薄層品が特に制限されることなく用いられ，たとえば紙，金属箔や，ポリエチレンテレフタレート，ポリエチレン，ポリスチレン，ポリプロピレン，ナイロン，ウレタン，ポリ塩化ビニリデン，ポリ塩化ビニルなどの合成樹脂フィルムが用いられる。また，これらの積層品であってもよい。
【００２４】
本発明では，接着性薄膜層を剥離性シート表面から剥離し，チップ等への転写容易にするために，これら剥離性シートの表面に，必要に応じシリコーン樹脂やアルキッド樹脂などで離型処理を施してもよい
【００２５】剥離性シートの表面張力が40mN/mより大きいと，接着性薄膜層の剥離性シートへの密着性が高くなり，チップ体への転写ができないことがある。一方，20mN/m未満では，研削工程で剥離性シートと接着性薄膜層の間に研削水が侵入しウエハを破損するおそれがあり，また接着性薄膜層の性状によっては剥離性シート上に接着性薄膜層を形成できないことがある。
【００２６】上記のような剥離性シート１１または２１の厚さは，通常５〜３００μｍであり，好ましくは１０〜２００μｍである。本発明の半導体装置の製造方法においては，接着性薄膜の形成工程，切断分離工程，チップの接着固定工程が行なわれる。また，所望により裏面研削工程が行なわれても良い。
【００２７】接着性薄膜層１２または２２の半導体ウエハ１への形成は，貼付装置による貼付によって行なわれる。貼付の際の圧力は，貼付装置の貼付方法（ゴムローラー式，真空密着式）により適宜に設定されるが，加圧条件が弱過ぎるとウエハに接着性薄膜層が密着しないことがあり，また強過ぎるとウエハを破損することがある。
【００２８】貼付温度は，使用する接着性薄膜層の性質による。通常は，バインダー樹脂の可塑化温度以上１８０℃以下の温度が好ましい。なお，粘接着剤を使用した場合は，常温で貼付できる。貼付温度が高過ぎると，ウエハの研削後，ウエハに反りを発生させるおそれがある。またウエハの回路面に設けられる導通用突起物の高さが５０μｍ以上となるようなウエハの回路面の凹凸が大きい場合は，標準の加圧条件よりも強い条件または高い貼付温度で貼付を行ない，ウエハ回路面に密着させることが好ましい。
【００２９】本発明においては，
半導体ウエハ１の切断分離等の各種の所要工程をウエハ１の回路面に接着性薄膜層１２または２２が貼着された状態で行なう
ウエハ裏面
ウエハ回路面
【００３０】次に，ウエハの切断分離を行う。ウエハの切断分離は，通常のダイシング装置を用いて行なわれる。この際，ウエハの裏面にダイシングテープを貼着し，これを介して円形のフレームに固定してダイシングが行なわれる。続いて，ピックアップ装置やチップボンダーを用いて切断分離されたチップを個別にチップトレー等に回収する。
【００３１】このような所要の工程を経て，図２または図５に示すように，回路面に接着性薄膜層が形成されたチップ２が得られる。本発明において接着性薄膜層は，剥離性シートを用いる場合は，剥離性シートの剥離面上に接着剤の組成物を塗布し，必要に応じて乾燥するか，薄膜状にキャスト成形した後，剥離性シートを積層して形成される。また剥離性シートを用いない場合は，キャスト成形等により製造される。
【００３２】接着性薄膜層に剥離性シートが積層されている場合，剥離性シートは，切断分離された個別のチップを，チップ搭載用基板に載置する前に，接着性薄膜層から剥離される。剥離性シートを接着性薄膜層から剥離する方法としては，幅広の粘着シートを剥離性シートの全面に貼り付けた後に鋭角で引き剥がすことなどにより行なわれる。剥離性シートの剥離は切断分離の後に行なうことが好ましいが，切断分離の前であってもよい。
【００３３】次いで，本発明に係る半導体装置の製造方法においては，チップ２を，接着性薄膜層を介して，チップ搭載用基板３０上に載置し，チップ２の固着を行う（図３または図６参照）。
チップ２には，表面に所定の回路が形成され，さらに回路表面にチップ搭載基板３０と導通するための電極が形成されている
電極は，好ましくは金，銅，ハンダ等の導電材料からなる突起物（導通用突起物３１）からなり
【００３４】
チップ搭載用基板３０は，たとえばポリイミドなどの絶縁性で耐熱性のシート材料上に，銅箔等の導電材料で形成された回路が積層されている
接着性薄膜層に絶縁性接着剤を用いる場合は，チップの電極に相対する端部に導通用突起物３１’を設けることが好ましい
この突起物は，上記のチップ上の突起物と同様に，金，銅，ハンダ等の導電材料からなり，その高さおよび径は，通常１０〜１００μｍ程度である
・「【００３７】また，
前記接着性薄膜層１２が絶縁性接着剤からなる場合には，チップ２として，回路上に導通用突起物３１を有するチップを用いるか，あるいは導通用突起物３１’を有するチップ搭載用基板３０を用いる
もちろんこれらを併用してもよい
図６に示したものは，導通用突起物３１を有するチップ２および導通用突起物３１’を有するチップ搭載用基板３０を併用した例である
【００３８】この場合には，回路面に絶縁性接着剤層２２が転写されたチップ２を，該絶縁性接着剤層２２を介して，導通用突起物３１，３１’を有するチップ搭載用基板３０上に載置する。この時点では，チップ２とチップ搭載用基板３０との導通はとれていないので，
絶縁性接着剤２２を流動化させて該導通用突起物３１，３１’を介してチップ２とチップ搭載用基板３０とを接続し，導通を確保した後，チップ２の固着を行う
【００３９】上記
絶縁性接着剤層２２が，熱硬化性絶縁性接着剤または粘接着剤型絶縁性接着剤からなる場合には，チップ２を該絶縁性接着剤層２２を介してチップ搭載用基板上３０に載置した後，該絶縁性接着剤を硬化しないように加熱して，流動化させ，該導通用突起物３１，３１’を介してチップ２とチップ搭載用基板３０との間の導通を確保した後，絶縁性接着剤の硬化温度以上に加熱して，チップの固着を行う
【００４０】また，
上記絶縁性接着剤層２２が，熱可塑性絶縁性接着剤からなる場合には，チップ２を該熱可塑性絶縁性接着剤を介してチップ搭載用基板３０上に載置した後，該熱可塑性絶縁性接着剤を加熱して，流動化させ，該導通用突起物３１，３１’を介してチップ２とチップ搭載用基板３０との間の導通を確保した後，該熱可塑性絶縁性接着剤の可塑化温度未満に冷却して，チップの固着を行う
【００４１】チップ２とチップ搭載用基板３０との接着固定は，フリップチップボンダー等により行うことができる。フリップチップボンダーは，加熱条件，加圧条件を精度良く設定できるものが好ましい。このような本発明に係る半導体装置の製造方法によれば，チップ２とチップ搭載用基板３０とを，空間を生じることなく，密着した状態で固着できるので，樹脂封止を行っても，ボイドのない，信頼性の高い，半導体装置を得ることができる。
【００４２】樹脂封止に用いられる樹脂としては，従来より半導体装置の樹脂封止に用いられてきた種々の熱硬化性樹脂が用いられる。このような熱硬化性樹脂としては，具体的には，クレゾールノボラック型エポキシ，ナフタレン型エポキシ，ビフェニル型エポキシあるいは芳香族多官能型エポキシを主原料とし，フェノールノボラック等の一般に用いられる硬化剤およびシリカ，シリコーン，カーボン，フィラー等を混合した樹脂が好ましく用いられる。加熱硬化の条件は，使用する熱硬化性樹脂の種類に応じて適宜に定められる。」
・図４は，引用文献１に記載された発明に係る製造方法の概略を示す図であって，発明の詳細な説明を参酌すれば，同図から，絶縁性接着剤層２２の片面に，剥離性シート２１が，その他面に，半導体ウエハ１の回路面が貼着されていること，及び，チップ２の表面に形成された所定の回路の回路表面に形成された，チップ搭載基板３０と導通するための，突起物（導通用突起物３１）からなる電極が埋設され，当該突起物（導通用突起物３１）からなる電極が，前記剥離性シート２１に接触していない状態を，見て取ることができる。
・図５は，引用文献１に記載された発明に係る製造方法の概略を示す図であって，発明の詳細な説明を参酌すれば，同図から，剥離性シート２１が除去され，接着性薄膜層２２が露出している状態を，見て取ることができる。
・図６は，引用文献１に記載された発明に係る製造方法の概略を示す図であって，発明の詳細な説明を参酌すれば，同図から，チップ２とチップ搭載用基板３０とが接続されていること，及び，「チップ２の表面に形成された所定の回路の回路表面に形成された，チップ搭載基板３０と導通するための，突起物（導通用突起物３１）からなる電極」と，「『銅箔等の導電材料で形成された回路』の『端部』に設けられた『金，銅，ハンダ等の導電材料からな』る『導通用突起物３１’』」とが，接触している状態を，見て取ることができる。
　そうすると，引用文献１には，以下の発明（以下，「引用発明１」という。）が記載されている。
「対向するウエハ回路面及びウエハ裏面を有し，前記ウエハ回路面に複数の突起物（導通用突起物３１）からなる電極が設けられたチップと，熱硬化性絶縁性接着剤または粘接着剤型絶縁性接着剤からなる絶縁性接着剤層であって，チップを該絶縁性接着剤層を介してチップ搭載用基板上に載置した後，該絶縁性接着剤を硬化しないように加熱して，流動化させ，該突起物（導通用突起物３１）からなる電極を介してチップとチップ搭載用基板との間の導通を確保した後，絶縁性接着剤の硬化温度以上に加熱して，チップの固着を行う絶縁性接着剤層を表面に設けた剥離性シートと，を提供する工程と，
　前記チップのウエハ回路面を前記絶縁性接着剤層に結合させることにより各前記突起物（導通用突起物３１）からなる電極を前記絶縁性接着剤層に埋設させ，各前記突起物（導通用突起物３１）からなる電極を前記剥離性シートに接触させない工程と，
　前記剥離性シートを除去することにより前記絶縁性接着剤層を露出させる工程と，
　前記チップを前記絶縁性接着剤層によりチップ搭載用基板に結合させ，前記絶縁性接着剤層を熱溶融することで，前記チップを各前記突起物（導通用突起物３１）からなる電極により前記チップ搭載用基板に電気的に接続させ，さらに，前記絶縁性接着剤層を硬化させることで，各前記突起物（導通用突起物３１）からなる電極を前記チップ搭載用基板の銅箔等の導電材料で形成された回路の端部に設けられた金，銅，ハンダ等の導電材料からなる導通用突起物３１’に接触させることにより，各前記突起物（導通用突起物３１）からなる電極を前記チップ搭載用基板の銅箔等の導電材料で形成された回路の端部に設けられた金，銅，ハンダ等の導電材料からなる導通用突起物３１’に電気的に接触させる工程と，
　を備え，
前記剥離性シートと前記絶縁性接着剤層との間には，絶縁性接着剤層を剥離性シート表面から剥離し，チップ等への転写容易にするために，これら剥離性シートの表面に必要に応じ施されたシリコーン樹脂やアルキッド樹脂などが設けられ，前記絶縁性接着剤層を剥離性シート表面から剥離し，チップ等への転写容易にするために，これら剥離性シートの表面に必要に応じ施されたシリコーン樹脂やアルキッド樹脂などを剥離することにより前記剥離シート基材を除去する半導体装置の製造方法。」
（２）対比
　本願発明と引用発明１とを対比する。
　引用発明１の「突起物（導通用突起物３１）からなる電極」，「チップ」，「絶縁性接着剤層」，「絶縁性接着剤層を剥離性シート表面から剥離し，チップ等への転写容易にするために，これら剥離性シートの表面に必要に応じ施されたシリコーン樹脂やアルキッド樹脂など」，「剥離性シート」，「チップ搭載用基板」，「半導体装置」が，それぞれ，本願発明の「導電バンプ」，「チップ」，「非導電性フィルムであるアンダーフィル」，「離型層」，「基材」，「パッケージ基板」，「半導体パッケージ構造」に相当する。
　また，引用文献１には，「絶縁性接着剤２２を流動化させて該導通用突起物３１，３１’を介してチップ２とチップ搭載用基板３０とを接続し，導通を確保した後，チップ２の固着を行う」（【００３８】）ことが記載されているので，チップは導電バンプによりパッケージ基板に電気的に接続しているものである。
　さらに，引用発明１の「銅箔等の導電材料で形成された回路の端部に設けられた金，銅，ハンダ等の導電材料からなる導通用突起物３１’」と，本願発明の「半田パッド」は，「導電性部材」である点で一致する。
　したがって，本願発明と引用発明１は，以下の点で，一致，及び，相違する。
［一致点］
「対向する能動面及び受動面を有し，前記能動面に複数の導電バンプが設けられたチップと，表面に非導電性フィルムであるアンダーフィルが設けられた基材と，を提供する工程と，
　前記チップの能動面を前記アンダーフィルに結合させることにより各前記導電バンプを前記アンダーフィルに埋設させ，各前記導電バンプを前記基材に接触させない工程と，
　前記基材を除去することにより前記アンダーフィルを露出させる工程と，
　前記チップを前記アンダーフィルによりパッケージ基板に結合させ，前記アンダーフィルを熱溶融することで，前記チップを各前記導電バンプにより前記パッケージ基板に電気的に接続させ，さらに，前記アンダーフィルを硬化させることで，各前記導電バンプを前記パッケージ基板の導電性部材に接触させることにより，各前記導電バンプを前記パッケージ基板の導電性部材に電気的に接触させる工程と，
　を備え，
前記基材と前記アンダーフィルとの間には離型層が設けられ，前記離型層を剥離することにより前記基材を除去する半導体パッケージ構造の製造方法。」
［相違点］
　チップに設けられた導電バンプに接触するパッケージ基板の導電性部材が，本願発明では「半田パッド」であるのに対して，引用発明１では「銅箔等の導電材料で形成された回路の端部に設けられた金，銅，ハンダ等の導電材料からなる導通用突起物３１’」である点。
（３）判断
　上記相違点について検討する。
　上記相違点について，引用文献１には，チップ搭載用基板に「半田パッド」を設け，チップとチップ搭載用基板との導通の確保を，該「半田パッド」を介して行うことについて何らの記載もない。また，上記拒絶理由には，引用文献１以外の他の引用文献は存在しない。
　したがって，引用発明１において，「銅箔等の導電材料で形成された回路の端部に設けられた金，銅，ハンダ等の導電材料からなる導通用突起物３１’」に替えて，「半田パッド」を用いることについて，証拠が不足しており，また，このような変更に思い至る動機も見いだすことはできないから，当該変更を容易に想到することができたとはいえない。
（４）小括
　したがって，本願発明は，当業者が引用発明１に基づいて容易に発明をすることができたとはいえない。
　本願の請求項２−５に係る発明は，本願発明をさらに限定したものであるので，本願発明と同様に，当業者が引用発明に基づいて容易に発明をすることができたとはいえない。
　よって，原査定の理由によっては，本願を拒絶することはできない。
第４　当審拒絶理由について
１　当審拒絶理由の概要
　この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。 
  
 　　　　　　記　　　（引用文献等については引用文献等一覧参照） 
１　請求項１について  
　　引用文献等　１〜６ 
（１）引用文献１〜３の記載事項  
　ア　引用文献１の段落【０００１】〜【０００２】，【００１５】〜【００３０】，図１〜７の記載からみて，同文献には，「複数のバンプ３が設けられた半導体チップ１を，搭載ツール７で吸着し，上面に端子電極５が形成された配線基板４であって，配線基板４と端子電極５の上にアンダーフィル樹脂としての絶縁性樹脂６が貼り付けられた配線基板４の上に，半導体チップ１のバンプ３が各相対応する端子電極５の上に重なり合うように搭載し，圧着ツール８により半導体チップ１を配線基板４に加熱しながら押圧するフリップチップ実装方法」の発明が記載されている。 
　イ　引用文献２の段落【００１０】〜【００１４】，図１〜４の記載からみて，同文献には，「表面に複数のＡｕスタッドバンプ４が形成されたチップ３を，Ａｕメッキランド２が形成された配線基板１であって，アンダーフィル樹脂５が載せられた配線基板１に，配線基板１のＡｕメッキランド２とチップ３のＡｕスタッドバンプ４とが超音波熱圧着されるようにフリップチップ接続する半導体装置の製造方法」の発明が記載されている。 
　ウ　引用文献３の段落【００４１】〜【００５０】，図１の記載からみて，同文献には，「金バンプを用いて実装した複数のバンプ電極２が形成されているＬＳＩチップ１を，電極パッド４が形成され，この電極パッド４の領域に形成された接着剤３が仮圧着されたビルドアップ層６と基板コア材５からなる基板に，バンプ電極２が電極パッド４に対応する位置でマウントし，熱圧着加重する半導体構造の製造プロセス」の発明が記載されている。
  
（２）対比  
　ア　引用文献１に記載の発明との対比 
（ア）引用文献１の段落【００１６】の「バンプ３は主に金，銅，パラジウム，ニッケル，錫，アルミニウム，半田等の少なくとも１種類から形成されている。」との「バンプ３」の材質に関する記載より，引用文献１に記載された発明（以下「引用発明１」という。）における，「バンプ３」は，導電性があり，また，同文献の図１の記載より，「半導体チップ１」は，「複数のバンプ３」が設けられた面と，同面と対向する面を有することが窺えるから，引用発明１の「半導体チップ１」は，請求項１に記載された発明（以下「本願発明」という。）の「対向する能動面及び受動面を有し，前記能動面に複数の導電バンプが設けられたチップ」に対応するものであるといえる。そして，引用発明１の「半導体チップ１」は，実装のために供され，「搭載ツール７」により吸着等されて実装されることとなるから，引用発明１も「半導体チップ１」を提供する工程を有し，引用発明１は「対向する能動面及び受動面を有し，前記能動面に複数の導電バンプが設けられたチップ」「を提供する工程」を有するといい得る。 
（イ）引用発明１の「絶縁性樹脂６」は，「アンダーフィル樹脂」であるから，本願発明の「アンダーフィル」に相当する。 
（ウ）引用文献１の段落【００１７】には，「厚みが０．２〜０．４ｍｍの
配線基板４は，ガラスエポキシ基板（アラミド基板，シリコン基板，シリコンインターポーザでもよい）で，上面には銅（ニッケル＋Ａｕメッキしてもよい）の端子電極５が形成されている
（エ）上記（ウ）を考慮すると，引用発明１の「配線基板４」は，本願発明の「パッケージ基板」に相当する。 
（オ）引用文献１の段落【００１８】の「図１（ｂ）に示すように搭載ツール７で半導体チップ１を吸着し，半
導体チップ１のバンプ３が各相対応する端子電極５の上に重なり合うように配線基板４の上に搭載される。この時点で，バンプ３は絶縁性樹脂６に突き刺さった状態である。一部のバンプ３は絶縁性樹脂６を貫通し，端子電極５に当たって変形している
圧着ツール８によって加圧をつづけ，半導体チップ１のバンプ３を除々に変形させながら，同時に，枠体１０もまたフィルム１３越しに半導体チップ１からはみ出ている絶縁性樹脂６を加圧し続ける。圧着ツール８で荷重を加えることによって，バンプ３のすべてが絶縁性樹脂６を突き破り，配線基板４の端子電極５に接触しながら変形していく
（カ）引用発明１の「フリップチップ実装方法」は，「半導体チップ１」を「配線基板４」に実装する方法であるから，「半導体パッケージ構造の製造方法」と称することができるものである。 
　イ　引用文献２に記載の発明との対比 
（ア）引用文献２に記載された発明（以下「引用発明２」という。）における，「複数のＡｕスタッドバンプ４」は，導電性を有することは明らかであるから，請求項１に記載された発明（以下「本願発明」という。）における「複数の導電バンプ」に相当する。 
（イ）引用発明２の「チップ３」は，「表面に複数のＡｕスタッドバンプ４」が形成されており，引用文献２の段落【００１４】，及び，図１の記載からみて，「表面」と対向する「裏面」を有するものであり，引用発明の「チップ３」の「表面」及び「裏面」は，ぞれぞれ，本願発明の「チップ」の「能動面」及び「受動面」に対応する。 
（ウ）上記（ア）〜（イ）より，引用発明２の「チップ３」は，「対向する能動面及び受動面を有し，前記能動面に複数の導電バンプが設けられたチップ」であるということができ，「チップ３」は，フリップチップ接続のために供されるから，引用発明２は，「対向する能動面及び受動面を有し，前記能動面に複数の導電バンプが設けられたチップ」「を提供する工程」を備える点で，本願発明と共通する。 
（エ）引用発明２の「アンダーフィル樹脂５」は，本願発明の「アンダーフィル」に相当する。 
（オ）引用発明２の「Ａｕメッキランド２」は，Ａｕメッキされているから，半田濡れ性に優れることは当業者に自明であり，本願発明の「半田パッド」に相当する。 
（カ）上記（オ）を考慮すると，引用発明２の「配線基板１」は，本願発明の「パッケージ基板」に相当する。 
（キ）引用発明２において，「チップ３」を「配線基板１のＡｕメッキランド２とチップ３のＡｕスタッドバンプ４とが超音波熱圧着されるようにフリップチップ接続する」ことは，「配線基板１」に「アンダーフィル樹脂５が載せられ」ているから，「チップ３」を「アンダーフィル樹脂５」により「配線基板１」に結合させることで「チップ３」を各「Ａｕスタッドバンプ４」により「配線基板１」に電気的に接続させ，各「Ａｕスタッドバンプ４」を「配線基板１」の「Ａｕメッキランド２」に接触させることにより，各「Ａｕスタッドバンプ４」を「配線基板１」の「Ａｕメッキランド２」に電気的に接触させる工程ということができる。 
（ク）上記（ウ）〜（キ）より，引用発明２は，「前記チップをアンダーフィルによりパッケージ基板に結合させることで前記チップを各前記導電バンプにより前記パッケージ基板に電気的に接続させ，各前記導電バンプを前記パッケージ基板の半田パッドに接触させることにより，各前記導電バンプを前記パッケージ基板の半田パッドに電気的に接触させる工程」を備える点で，本願発明と共通する。 
（ケ）引用発明２の「半導体装置の製造方法」は，「チップ３」を「配線基板１」に実装する方法であるから，「半導体パッケージ構造の製造方法」と称することができるものである。 
　ウ　引用文献３に記載の発明との対比 
（ア）引用文献３に記載された発明（以下「引用発明３」という。）における，「金バンプを用いて実装した複数のバンプ電極２」は，金バンプが導電性を有することが明らかであるから，請求項１に記載された発明（以下「本願発明」という。）における「複数の導電バンプ」に相当する。 
（イ）引用発明３の「ＬＳＩチップ１」は，引用文献３の図１の記載からみて，「バンプ電極２」が形成されている面と，その面と対向する面を有するから，これらの面は，ぞれぞれ，本願発明の「チップ」の「能動面」，「受動面」に対応する。 
（ウ）上記（ア）〜（イ）より，引用発明３の「ＬＳＩチップ１」は，「対向する能動面及び受動面を有し，前記能動面に複数の導電バンプが設けられたチップ」であるということができ，「ＬＳＩチップ１」は，基板に搭載されるために供されるから，引用発明３は，「対向する能動面及び受動面を有し，前記能動面に複数の導電バンプが設けられたチップ」「を提供する工程」を備える点で，本願発明と共通する。 
（エ）引用文献３の段落【００４７】〜【００４９】の，「【００４７】この際，
熱圧着荷重によってバンプ電極２群は基板搭載面の平坦度にならうように変形し，その状態でバンプ電極２群の周辺を一括封止する形で接着剤３が硬化する
【００４８】
これにより，ＬＳＩチップ１上に形成されたバンプ電極２群は，圧着時の残留応力や接着剤３の熱収縮および硬化収縮により，配線基板上に形成された電極パッド２群と接触圧力によって電気的に接続される
【００４９】なお，
接着剤３の材料としては，接着信頼性が高く熱膨張係数も比較的小さいエポキシ系の熱硬化性樹脂を用いることが望ましく
（オ）引用発明３の「電極パッド４」は，引用文献３の図１の記載からみて，Ｃｕ，又は，Ｃｕ／Ｎｉ／Ａｕを有することが窺えるから，半田濡れ性が良好であることが当業者に自明であり，本願発明の「半田パッド」に対応する。 
（カ）引用文献３の段落【００４５】〜【００４６】の記載，及び，図１の記載からみて，ビルドアップ層６は基板コア材５の上に積み上げられた配線層である点を考慮すると，引用発明３の「ビルドアップ層６と基板コア材５からなる基板」は，配線基板を構成するものであり，本願発明の「パッケージ基板」に対応するものである。 
（キ）引用発明３において，「ＬＳＩチップ１を，電極パッド４が形成され，この電極パッド４の領域に形成された接着剤３が仮圧着されたビルドアップ層６と基板コア材５からなる基板に，バンプ電極２が電極パッド４に対応する位置でマウントし，熱圧着加重する」ことは，上記（ア）〜（カ），及び，引用文献３の段落【００４７】〜【００４８】の「【００４７】この際，
熱圧着荷重によってバンプ電極２群は基板搭載面の平坦度にならうように変形し，その状態でバンプ電極２群の周辺を一括封止する形で接着剤３が硬化する
【００４８】
これにより，ＬＳＩチップ１上に形成されたバンプ電極２群は，圧着時の残留応力や接着剤３の熱収縮および硬化収縮により，配線基板上に形成された電極パッド２群と接触圧力によって電気的に接続される
（ク）引用発明３の「半導体構造の製造プロセス」は，「ＬＳＩチップ１」を基板に実装する方法であるから，「半導体パッケージ構造の製造方法」と称することができるものである。 
  
（３）一致点及び相違点  
　上記（２）から，本願発明と引用発明１〜３の各々との一致点及び相違点は，それぞれ以下のとおりであると認められる。  
　ア　一致点  
　「対向する能動面及び受動面を有し，前記能動面に複数の導電バンプが設けられたチップを提供する工程と， 
　前記チップをアンダーフィルによりパッケージ基板に結合させることで前記チップを各前記導電バンプにより前記パッケージ基板に電気的に接続させ，各前記導電バンプを前記パッケージ基板の半田パッドに接触させることにより，各前記導電バンプを前記パッケージ基板の半田パッドに電気的に接触させる工程と， 
　を備える， 
　ことを特徴とする半導体パッケージ構造の製造方法。」 
　イ　相違点  
（ア）相違点１ 
　本願発明では，「表面に非導電性フィルムであるアンダーフィルが設けられた基材と，を提供する工程と， 
　前記チップの能動面を前記アンダーフィルに結合させることにより各前記導電バンプを前記アンダーフィルに埋設させる工程と， 
　前記基材を除去することにより前記アンダーフィルを露出させる工程と，」を備えるのに対し，引用発明１〜３では，そのような工程を備えない点。  
  
（イ）相違点２  
　本願発明では，「前記チップを前記アンダーフィルによりパッケージ基板に結合させ」ており，「前記アンダーフィル」は，「前記チップの能動面」に「結合された」「アンダーフィル」であるのに対し，引用発明１〜３では，「アンダーフィル」は「チップの能動面」に「結合された」ものでない点。
  
（ウ）相違点３  
　本願発明では，「前記基材と前記アンダーフィルとの間には離型層が設けられ，前記離型層を剥離することにより前記基材を除去する」のに対し，引用発明１〜３では，そのような処理を行っていない点。 
  
（４）判断  
　ア　上記相違点１〜上記相違点３について  
　一般に，アンダーフィルを基板側に設けるのではなく，チップ側に設けておくようにすることは，引用文献４（段落【００１９】〜【００３２】，図４〜５）のほか，引用文献５（段落【００１２】〜【００１３】，図２〜３），引用文献６（第５頁第２０行〜第６頁第９行，第３図）等に記載されるように，当業者にとって，適宜採用し得る，周知技術に過ぎない。 
　また，引用文献４には，チップを基板に搭載する処理に関連して，シリコーン樹脂等により離型処理を施した，基材となる剥離性シート２１に，熱硬化性絶縁性接着剤層２２（本願発明の「アンダーフィル」に対応）を積層し，この剥離性シートをチップ１に貼付することにより，チップ１の導通用突起物３１を熱硬化性絶縁性接着剤層２２に埋没させ，その後，剥離性シート２１を除去し，熱硬化性絶縁性接着剤層２２を露出させる技術も記載されている。（段落【０００１】〜【０００７】，【００１２】〜【００４２】，図４〜６を参照。） 
　してみると，引用発明１〜３のいずれかの発明において，上記周知技術，及び，引用文献４に記載の上記技術を採用することとして，相違点１〜３を構成することは，当業者であれば，容易になし得たことである。
  
　よって，上記相違点１〜３はいずれも格別なものでなく，請求項１に係る発明（本願発明）は引用文献１〜３のいずれかに記載の発明に基いて，引用文献４〜６に記載の技術を採用して，当業者が容易に発明をすることができたものであり，特許法第２９条第２項の規定により，特許を受けることができないものである。 
  
２　請求項２について  
　　引用文献等　１〜６  
　基材を剥離により除去することは，引用文献４（段落【００２１】〜【００２５】，【００３２】）に記載されている。 
　よって，請求項２に記載の限定は格別なものではない。  
  
３　請求項３について  
　　引用文献等　１〜６  
　引用文献４に記載の技術では，アンダーフィルを，基材の剥離によりチップに転写し，基材とは分離させることが予定されている（段落（段落【００２２】，【００２５】などを参照。）から，引用発明１〜３のいずれかの発明に引用文献４に記載の技術を適用する際に，結合力を請求項３記載のようにすることは，当業者が普通になし得ることである。
　よって，請求項３に記載の限定は格別なものではない。
  
４　請求項４について  
　　引用文献等　１〜６ 
　引用発明１〜３も，チップをバンプにより基板の半田パッドと接触させて直接電気的に接続している。 
　よって，請求項４に記載の限定は格別なものではない。
  
５　請求項５について  
　　引用文献等　１〜６  
　バンプが設けられていない裏面（本願の請求項５に係る発明における「受動面」に相当）を研磨してチップの薄化を図ることは，普通に行われていることであるし，また，基材となる剥離性シートの除去前に研削を行うことも，引用文献４（段落【００２９】）に記載されている。 
　よって，請求項５に記載の限定は格別なものではない。
  
６　請求項６について  
　　引用文献等　１〜６  
　アンダーフィルを熱溶融して，導電バンプを基板に電気的に接続させた状態で，アンダーフィルを硬化させることは，引用文献１（段落【００２６】〜【００２８】），引用文献２（段落【００１３】，図３）等に記載されているし，また，当業者にとって，普通に行い得ることでもある。 
　よって，請求項６に記載の限定は格別なものではない。  
  
７　請求項７について  
　　引用文献等　１〜６ 
　チップを被覆するように，封止樹脂をパッケージ基板に形成させることは，引用文献１（段落【００３３】〜段落【００３５】，図１０〜１５），引用文献２（段落【００１７】，図７〜８）に記載されているように，モールディングとして，普通に行われ得ることに過ぎない。 
　よって，請求項７に記載の限定は格別なものではない。
  
　　　　　　　　　　　　＜引用文献等一覧＞  
１．特開２０１０−１５３６７０号公報  
２．特開２００７−６７０４７号公報  
３．特開２００２−５０７１８号公報  
４．特開２００１−１４４１４０号公報 
５．特開２００５−１１６６２４号公報 
６．実願平１−１５１７０２号（実開平３−９２０３９）のマイクロフィルム 
２　当審拒絶理由の判断
（１）引用文献の記載事項
　当審引用文献１には，図１ないし図２０とともに，以下の事項が記載されている。
・「【技術分野】
【０００１】
　本発明は，半導体装置のフリップチップ実装方法に関する。
【背景技術】
【０００２】
　近年，電子機器の小型化，薄型化の要求により，裸（ベア）の半導体チップを
配線基板
半導体チップの回路面
・「【発明を実施するための最良の形態】
【００１５】
　以下，本発明の実施の形態を図１〜図１８に基づいて説明する。
　図１〜図１４はフリップチップ実装の工程を示し，図１５が完成した半導体装置である。
【００１６】
　先ず，図１（ａ）（ｂ）に示す前工程を説明する。
　図１（ａ）に示すように
半導体チップ１の電極パッド２の上には，バンプ３が設けられている
【００１７】
　厚みが０．２〜０．４ｍｍの配線基板４は，ガラスエポキシ基板（アラミド基板，シリコン基板，シリコンインターポーザでもよい）で，
上面には銅（ニッケル＋Ａｕメッキしてもよい）の端子電極５が形成されている
配線基板４と端子電極５の上には，半導体チップ１よりも必要に応じて若干大きな寸法にてカットされたアンダーフィル樹脂としての絶縁性樹脂６が貼り付けられている
ここでは，１８０℃で硬化するエポキシ樹脂を絶縁性樹脂６として用いた
【００１８】
　図１（ｂ）に示すように搭載ツール７で半導体チップ１を吸着し，半導体チップ１のバンプ３が各相対応する端子電極５の上に重なり合うように配線基板４の上に搭載される。この時点で，バンプ３は絶縁性樹脂６に突き刺さった状態である。一部のバンプ３は絶縁性樹脂６を貫通し，端子電極５に当たって変形している。位置決め荷重は，１バンプ当たり１０ｇ程度である。搭載ツール７は内蔵するヒータにより加熱してもよいが樹脂を１００％以上硬化させてはいけない。搭載ツール７は半導体チップ１を搭載した後に離脱させる。
【００１９】
　なお，絶縁性樹脂６は，配線基板４の上に粘着して貼り付けられるように，あらかじめ，５０〜８０℃程度の温度で配線基板４を加熱しておいてもよいし，貼り付け装置のツール（図示せず）が加熱されるようになっていてもよい。貼り付け荷重は，５〜１０ｋｇｆ／ｃｍ２程度である。
【００２０】
　この絶縁性樹脂６の厚みは５０μｍのものを使用した。
絶縁性樹脂６が保護用セパレータ（図示せず）と２層になっていれば，それを剥がす
【００２１】
　次に後工程を説明する。
　後工程では，図１（ｂ）の実装状態の半導体チップ１の上に図２（ｂ）（ｃ）に示す圧着ツール８を用いて，図６に示すようにフィルム１３を押し付けて絶縁性樹脂６のフィレットの成形が行われる。
【００２２】
　圧着ツール８は，図２（ａ）（ｂ）に示すように押圧部９とこの押圧部９の下面にネジ１１によって交換自在に取り付けられた枠体１０とで構成されている。枠体１０の材質は，熱硬化性のエポキシ樹脂，フェノール樹脂や，ポリイミド，シリコーン，または，テフロン，さらに，ゴム系樹脂でもよく，これら，絶縁性熱硬化性樹脂と絶縁性熱可塑性樹脂を混合したものでも良い。
【００２３】
　図３（ａ）に示すように圧着ツール８とステージ１５の間に，支持治具１２ａ，１２ｂの間にフィルム１３が架張した状態で設けられており，フィルム１３の下方位置のステージ１５の上に，図１（ｂ）の実装状態の半導体チップ１がセットされている。フィルム１３の大きさは縦横とも半導体チップ１よりも大きい。フィルム１３は，耐熱性（ＮＣＦ硬化温度）を有するフィルムが望ましい。フィルム１３の材質は，例えば，ポリイミド，ポリフェニレンサルファイド，フッ素樹脂，シリコーンゴム，これらの２層構造等の耐熱性熱可塑フィルムが好ましい。ここではフィルム１３の厚みは２０〜３０μｍ程度のものを使用した。フィルム１３の両面は，フラットで，特にパターンは形成されていない。
【００２４】
　図４では，ステージ１５に向かって支持治具１２ａ，１２ｂを降下させて当接させ，支持治具１２ａ，１２ｂによるフィルム１３の保持を緩めて，フィルム１３が半導体チップ１のほぼ上部に配置され，かつ，半導体チップ１の周囲にはみ出て貼り付けられている絶縁性樹脂６のほぼ上部に配置される。
【００２５】
　図５では，ステージ１５に向かって圧着ツール８をさらに降下させて前記枠体１０を半導体チップ１の上に被せ，半導体チップ１の上面と絶縁性樹脂６のフィレットの部分を，フィルム１３を介して加熱しながら押圧する。
【００２６】
　なお，フィルム１３は配線基板４もしくはステージ１５側から吸着等で絶縁性樹脂６の上部に誘導配置されてもよい。
　次に図６に示すように，フィルム１３を介して圧着ツール８によって半導体チップ１を配線基板４に加熱しながら更に押圧するとともに，半導体チップ１からはみ出た絶縁性樹脂６にフィルム１３を介して枠体１０が押し当てられて加熱加圧する。
【００２７】
　次に図７に示すように，圧着ツール８によって加圧をつづけ，半導体チップ１のバンプ３を除々に変形させながら，同時に，枠体１０もまたフィルム１３越しに半導体チップ１からはみ出ている絶縁性樹脂６を加圧し続ける。圧着ツール８で荷重を加えることによって，バンプ３のすべてが絶縁性樹脂６を突き破り，配線基板４の端子電極５に接触しながら変形していく。
【００２８】
　圧着ツール８で半導体チップ１のバンプ３の高さを所望の値にし，絶縁性樹脂６を硬化する。これによって，次に図８に示すように，半導体チップ１の端からはみ出ている絶縁性樹脂６にフィルム１３のフラットな表面形状１３ａが転写される。
【００２９】
　このときのバンプ変形荷重は１バンプ当たり５０ｇ程度である。バンプ３のサイズによって荷重をコントロールするが，この場合，バンプ高さは２５μｍｔとした。また，必要に応じて，ステージ１５を加熱したり，冷却して，絶縁性樹脂６にかかる内圧をコントロールし，ボイドの発生を抑えてもよい。
【００３０】
　圧着ツール８および支持治具１２ａ，１２ｂを解除してフリップチップ実装体が得られる。
　次に，図８の状態のフリップチップ実装体における絶縁性樹脂６のフィレット部分６ａに，図９（ａ）（ｂ）のようにして凹凸層１６を形成し硬化する。」
　そうすると，当審引用文献１には，以下の発明（以下「当審引用発明１」という。）が記載されている。
「対向する半導体チップの回路面及び裏面を有し，前記回路面の複数の電極パッドの上にバンプが設けられた半導体チップと，保護用セパレータと２層になったアンダーフィル樹脂としての絶縁性樹脂が，その上に設けられた上面に銅（ニッケル＋Ａｕメッキしてもよい）の端子電極５が形成されている配線基板と，を提供する工程であって，
　前記アンダーフィル樹脂としての絶縁性樹脂は，１８０℃で硬化するエポキシ樹脂を含み，前記端子電極は，前記アンダーフィル樹脂としての絶縁性樹脂に埋設され，前記端子電極は前記保護用セパレータに接触させない工程と，
　前記保護用セパレータを剥がし，前記アンダーフィル樹脂としての絶縁性樹脂を露出させる工程と，
　前記半導体チップを前記アンダーフィルとしての絶縁性樹脂により配線基板に結合させ，前記アンダーフィルとしての絶縁性樹脂を熱溶融することで，前記半導体チップを各前記電極パッドの上のバンプにより前記配線基板に電気的に接続させ，さらに，前記アンダーフィルとしての絶縁性樹脂を硬化させることで，各前記電極パッドの上のバンプを前記配線基板の端子電極に接触させることにより，各前記電極パッドの上のバンプを前記配線基板の端子電極に電気的に接触させる工程と，
　を備えるフリップチップ実装方法。」
（２）対比
ア　当審引用発明１と本願発明との対比 
（ア）当審引用文献１の段落【００１６】の「バンプ３は主に金，銅，パラジウム，ニッケル，錫，アルミニウム，半田等の少なくとも１種類から形成されている。」との「バンプ３」の材質に関する記載より，当審引用発明１における，「バンプ」は，導電性があり，また，同文献の図１の記載より，「半導体チップ」は，「複数のバンプ」が設けられた面と，同面と対向する面を有することが窺えるから，当審引用発明１の「半導体チップ」は，本願発明の「対向する能動面及び受動面を有し，前記能動面に複数の導電バンプが設けられたチップ」に対応するものであるといえる。そして，当審引用発明１の「半導体チップ」は，実装のために供され，搭載ツールにより吸着等されて実装されることとなるから，当審引用発明１も「半導体チップ」を提供する工程を有し，当審引用発明１は「対向する能動面及び受動面を有し，前記能動面に複数の導電バンプが設けられたチップ」「を提供する工程」を有するといい得る。 
（イ）当審引用発明１の「保護用セパレータ」は，本願発明の「基材」に相当する。
（ウ）当審引用発明１の「アンダーフィルとしての絶縁性樹脂」は，「アンダーフィル樹脂」であるから，本願発明の「アンダーフィル」に相当する。
（エ）当審引用発明１の「配線基板」は，本願発明の「パッケージ基板」に相当する。 
（オ）当審引用文献１の段落【００１８】の「図１（ｂ）に示すように搭載ツール７で半導体チップ１を吸着し，半導体チップ１のバンプ３が各相対応する端子電極５の上に重なり合うように配線基板４の上に搭載される。この時点で，バンプ３は絶縁性樹脂６に突き刺さった状態である。一部のバンプ３は絶縁性樹脂６を貫通し，端子電極５に当たって変形している。位置決め荷重は，１バンプ当たり１０ｇ程度である。」との記載，及び，図１の記載，及び，同【００２７】の「次に図７に示すように，圧着ツール８によって加圧をつづけ，半導体チップ１のバンプ３を除々に変形させながら，同時に，枠体１０もまたフィルム１３越しに半導体チップ１からはみ出ている絶縁性樹脂６を加圧し続ける。圧着ツール８で荷重を加えることによって，バンプ３のすべてが絶縁性樹脂６を突き破り，配線基板４の端子電極５に接触しながら変形していく。」との記載より，当審引用発明１において，「半導体チップ１を，搭載ツール７で吸着し，上面に端子電極５が形成された配線基板４であって，前記配線基板４と前記端子電極５の上にアンダーフィル樹脂としての絶縁性樹脂６が貼り付けられた前記配線基板４の上に，前記半導体チップ１の前記バンプ３が各相対応する前記端子電極５の上に重なり合うように搭載し，圧着ツール８により前記半導体チップ１を前記配線基板４に加熱しながら押圧する」ことで，「半導体チップ」を「アンダーフィル樹脂としての絶縁性樹脂」により「配線基板」に結合させることで「半導体チップ」を「バンプ」により「配線基板」に電気的に接続させ，各「バンプ」を「配線基板」の「端子電極」に接触させることにより，各「バンプ」を「配線基板」の「端子電極」に電気的に接触させることとなるといい得るから，上記（ア）〜（エ）の対応関係を併せて考慮すると，当審引用発明１は，「前記チップを前記アンダーフィルによりパッケージ基板に結合させ，前記アンダーフィルを熱溶融することで，前記チップを各前記導電バンプにより前記パッケージ基板に電気的に接続させ，さらに，前記アンダーフィルを硬化させることで，各前記導電バンプを前記パッケージ基板の電極に接触させることで，各前記導電バンプを前記パッケージ基板の電極に電気的に接触させる工程」を備えるといえる。 
（カ）当審引用発明１の「フリップチップ実装方法」は，「半導体チップ」を「配線基板」に実装する方法であるから，「半導体パッケージ構造の製造方法」と称することができるものである。 
（キ）当審引用発明１の「保護用セパレータと２層になったアンダーフィル樹脂としての絶縁性樹脂が，その上に設けられた上面に銅（ニッケル＋Ａｕメッキしてもよい）の端子電極５が形成されている配線基板」は，当該「保護用セパレータ」を基準として観察すると，「保護用セパレータ」の表面に「アンダーフィル樹脂としての絶縁性樹脂」が設けられ，更に当該「アンダーフィル樹脂としての絶縁性樹脂」の表面に「配線基板」が設けられた構造であるとも解される。
　したがって，当審引用発明１の「保護用セパレータと２層になったアンダーフィル樹脂としての絶縁性樹脂が，その上に設けられた上面には銅（ニッケル＋Ａｕメッキしてもよい）の端子電極５が形成されている配線基板」と，本願発明の「表面に非導電性フィルムであるアンダーフィルが設けられた基材」とは，「表面に非導電性フィルムであるアンダーフィルが設けられた基材」である点で一致する。
（ク）当審引用発明１の「銅（ニッケル＋Ａｕメッキしてもよい）の端子電極」と，本願発明の「半田パッド」とは，「電極」である点で一致する。
イ　したがって，本願発明と当審引用発明１とを対比すると，以下の点で，一致，及び，相違する。
［一致点］
「対向する能動面及び受動面を有し，前記能動面に複数の導電バンプが設けられたチップと，表面に非導電性フィルムであるアンダーフィルが設けられた基材と，を提供する工程と，
　前記基材を除去することにより前記アンダーフィルを露出させる工程と，
　前記チップを前記アンダーフィルによりパッケージ基板に結合させ，前記アンダーフィルを熱溶融することで，前記チップを各前記導電バンプにより前記パッケージ基板に電気的に接続させ，さらに，前記アンダーフィルを硬化させることで，各前記導電バンプを前記パッケージ基板の電極に接触させることにより，各前記導電バンプを前記パッケージ基板の電極に電気的に接触させる工程と，
　を備える半導体パッケージ構造の製造方法。」
［相違点］
・相違点１：本願発明が「前記チップの能動面を前記アンダーフィルに結合させることにより各前記導電バンプを前記アンダーフィルに埋設させ，各前記導電バンプを前記基材に接触させない工程」を備えるのに対して，当審引用発明１では，「保護用セパレータと２層になったアンダーフィル樹脂としての絶縁性樹脂が，その上に設けられた電極が形成されている配線基板と，を提供する工程であって，・・・前記電極は，前記アンダーフィル樹脂としての絶縁性樹脂に埋設され，前記電極は前記保護用セパレータに接触させない工程」を備える点。
・相違点２：パッケージ基板の「電極」が，本願発明では「半田パッド」であるのに対して，当審引用発明１では「銅（ニッケル＋Ａｕメッキしてもよい）の端子電極」である点。
・相違点３：本願発明が「前記基材と前記アンダーフィルとの間には離型層が設けられ，前記離型層を剥離することにより前記基材を除去する」ものであるのに対して，当審引用発明１では，このような構成が特定されていない点。
（３）判断
　上記相違点１について検討する。
　当審拒絶理由で通知した引用文献４（以下「当審引用文献４」という。）は，原査定で引用した引用文献１であって，当該文献には，上記「第３　２（１）」で摘記した事項が記載されており，その図４には，チップ２の表面に形成された所定の回路の回路表面に形成された突起物（導通用突起物３１）からなる電極が埋設され，当該突起物（導通用突起物３１）からなる電極が，剥離性シート２１に接触していない構造が示されており，当該図４の構造は，本願発明の「前記チップの能動面を前記アンダーフィルに結合させることにより各前記導電バンプを前記アンダーフィルに埋設させ，各前記導電バンプを前記基材に接触させない」構造に相当する。
　
　他方，当審引用文献４の図４に示された前記構造は，当審引用文献４の図６に示される，「チップ２の表面に形成された所定の回路の回路表面に形成された，チップ搭載基板３０と導通するための，突起物（導通用突起物３１）からなる電極」と，「『銅箔等の導電材料で形成された回路』の『端部』に設けられた『金，銅，ハンダ等の導電材料からな』る『導通用突起物３１’』」とが，接触している構造を得ることを前提としたものであり，「各前記電極パッドの上のバンプを前記配線基板の電極に接触させることにより，各前記電極パッドの上のバンプを前記配線基板の電極に電気的に接触させる」構造を得ることを前提とした当審引用発明１とは，アンダーフィルに埋設された導電バンプが接触する必要がある導電性部材の形状が異なる点で相違する。
　すなわち，当審引用文献４の図６において，アンダーフィルに埋設された導電バンプが接触する必要がある導電性部材は，「導通用突起物３１’」であり，チップをアンダーフィルによりパッケージ基板に結合させ，前記アンダーフィルを熱溶融することで，前記チップを各前記導電バンプにより前記パッケージ基板に電気的に接続させるにあたり，当該「導通用突起物３１’」の尖状の先端部の形状が，前記アンダーフィルに突き刺さり押し入ることを容易にするものと理解できる。
　これに対し，当審引用発明１の「銅（ニッケル＋Ａｕメッキしてもよい）の端子電極」は，その上面が平坦であるから，当審引用文献４の「導通用突起物３１’」の場合に比べて，アンダーフィルに押し入ることは困難であると認められる。
　そうすると，当審引用文献４において，本願発明の「前記チップの能動面を前記アンダーフィルに結合させることにより各前記導電バンプを前記アンダーフィルに埋設させ，各前記導電バンプを前記基材に接触させない」構造に相当する構造が公知であるとしても，当該構造は，専ら，当審引用文献４の図６に示されるような「導通用突起物３１’」との接触を目的とした製造方法において用いられるものと解され，前記構造を，当審引用発明１におけるような，その上面が平坦であり，アンダーフィルに押し入ることが，前記「導通用突起物３１’」の場合に比べて困難であると認められる，「銅（ニッケル＋Ａｕメッキしてもよい）の端子電極」との接触に用いることを，当業者が容易に想到し得たとは認められない。
　このことは，当審拒絶理由で通知した引用文献５及び６（以下「当審引用文献５」及び「当審引用文献５」という。）の記載からも妥当なものと認められる。
　すなわち，当審引用文献５の図１ないし図３，及び，当審引用文献６の第３図には，いずれも，上面が平坦な導電性部材に，アンダーフィルに埋設された導電バンプを接触させる工程を備えた半導体パッケージ構造の製造方法において，当該導電バンプの頂部が，前記アンダーフィルから露出している構造が示されている。
　そうすると，上面が平坦な導電性部材に，アンダーフィルに埋設された導電バンプを接触させる工程を備えた半導体パッケージ構造の製造方法において，当該導電バンプの頂部を，前記アンダーフィルから露出するような構造を採用することが普通に行われているものと理解される。
　したがって，当審引用発明１において，「保護用セパレータと２層になったアンダーフィル樹脂としての絶縁性樹脂」を，「上面に銅（ニッケル＋Ａｕメッキしてもよい）の端子電極５が形成されている配線基板」の上に設けることに替えて，「チップの能動面」に設けることとし，さらに，当審引用発明１の「バンプ」を，「アンダーフィルに埋設させ」かつ，「基材に接触させない」ものとすること，すなわち上記相違点１について，本願発明の構成を採用することは，当業者が容易になし得たこととはいえない。
　さらに，当審拒絶理由で通知した，引用文献２ないし３，及び，引用文献５ないし６には，「前記チップの能動面を前記アンダーフィルに結合させることにより各前記導電バンプを前記アンダーフィルに埋設させ，各前記導電バンプを前記基材に接触させない工程」は記載されていない。
（４）小括
　したがって，他の相違点２ないし３について検討するまでもなく，本願発明は，当業者が当審引用発明１に基づいて容易に発明をすることができたものとはいえなくなった。
　本願の請求項２−５に係る発明についても，本願発明をさらに限定したものであるので，本願発明と同様に，当業者が当審引用発明１に基づいて容易に発明をすることができたものとはいえなくなった。
（５）引用文献２又は３の記載から引用発明を認定した場合の検討
　当審拒絶理由で通知した引用文献２及び３には，本願発明の「前記チップの能動面を前記アンダーフィルに結合させることにより各前記導電バンプを前記アンダーフィルに埋設させ，各前記導電バンプを前記基材に接触させない工程」が記載されていないから，前記引用文献２又は３の記載から引用発明を認定して本願発明と対比すると，引用発明は，本願発明の上記の構成を備えていない点で少なくとも相違する。
　そして，上記（３）のとおり，本願発明の上記の構成は，引用文献１及び引用文献５ないし６のいずれにも記載されていない。
　そうすると，上記引用文献２及び３のいずれから引用発明を認定した場合でも，本願発明と引用発明との相違点である本願発明の上記構成は，他の引用文献に基づいて，当業者が容易になし得たこととはいえない。
　さらに，当審引用文献４に，本願発明の「前記チップの能動面を前記アンダーフィルに結合させることにより各前記導電バンプを前記アンダーフィルに埋設させ，各前記導電バンプを前記基材に接触させない」構造に相当する構成が記載されていると認めることができるとしても，上記（３）で検討したように，当該構成は，専ら，当審引用文献４の図６に示されるような「導通用突起物３１’」との接触を目的とした製造方法において用いられるものと解され，前記構成を，当審拒絶理由で通知した引用文献２及び３に記載されるような，前記「導通用突起物３１’」に相当する構造を有さない部材との接触に用いることを，当業者が容易に想到し得たとは認められない。
　以上から，本願発明は，当業者が当審拒絶理由で通知した引用文献２又は３に記載された発明に基づいて容易に発明をすることができたものとはいえなくなった。
　本願の請求項２−５に係る発明についても，本願発明をさらに限定したものであるので，本願発明と同様に，当業者が当審拒絶理由で通知した引用文献２又は３に記載された発明に基づいて容易に発明をすることができたものとはいえなくなった。
（６）まとめ
　したがって，もはや，当審で通知した拒絶理由によって本願を拒絶することはできない。
第５　むすび
　以上のとおり，原査定の理由によっては，本願を拒絶することはできない。
　また，他に本願を拒絶すべき理由を発見しない。
　よって，結論のとおり審決する。